(57)【要約】【課題】内部の温度上昇を防ぐ回転灯装置を備えた遊技機の提供。【解決手段】回転灯装置60にケース部61とカバー部63とを備え、ケース部61とカバー部63との間に回転灯装置内部空間100を形成し、回転灯装置内部空間100に、反射板64と、反射板64とともに回転し、かつ回転灯装置内部空間100を２つに仕切る送風ファン98とを備えた回転部90を備え、送風ファン98により２つに仕切られた回転灯装置内部空間100のうち、一方を第１内部空間100Aとし、他方を第２内部空間100Bとし、回転部90が回転すると第１内部空間100A及び第２内部空間100Bの一方側から他方側へ向けて空気を送るように送風ファン98を形成し、ケース部61及びカバー部63から構成される収納部のいずれかの位置には、第１内部空間100Aと外部とを連通させる第１通風孔70と、第２内部空間100Bと外部とを連通させる第２通風孔72とを設けた。【選択図】  図５
2008161304.tif 000002
【特許請求の範囲】
【請求項１】
光を周囲に旋回させながら照射可能な回転灯装置を備えた遊技機であって、
前記回転灯装置は、
開口部を有する箱型のケース部と、
ケース部に設けられた開口部を塞ぐようにケース部に取り付けられるカバー部とを備え、
ケース部にカバー部が取り付けられると、ケース部とカバー部との間には、回転灯装置の構成部材を収納可能な空間である回転灯装置内部空間が形成され、
回転灯装置内部空間には、
光を発する光源と、
光源の周囲を回転可能に形成された回転部と、
回転部を回転させるためのモータとが備えられ、
回転部には、
光源の周囲を回転しつつ光源から発せられた光を反射するための反射板と、
反射板とともに回転し、かつ、回転灯装置内部空間を２つに仕切る送風ファンとが備えられ、
送風ファンにより２つに仕切られた回転灯装置内部空間のうち、一方を第１内部空間とし、他方を第２内部空間とし、
送風ファンは、回転部が回転すると、第１内部空間及び第２内部空間の一方側から他方側へ向けて空気を送るように形成され、
ケース部及びカバー部から構成される収納部のいずれかの位置には、第１内部空間と外部とを連通させる第１通風孔と、第２内部空間と外部とを連通させる第２通風孔とが設けられていることを特徴とする遊技機。
【発明の詳細な説明】
【技術分野】
【０００１】
この発明は、遊技機に関し、更に詳しくは、光源の光を周囲に旋回させながら照射可能な回転灯装置を備えた遊技機に関する。
【背景技術】
【０００２】
従来より、スロットマシンなどの遊技機においては、入賞や当選等の遊技の状態を示し、遊技者の遊興性を増すため、種々の演出が行われている。また、このような遊技機では、前扉の上部にアーチランプや液晶などが取り付けられており、これらを用いて演出が行われるように形成されている。
また、遊技機の近傍又は遊技機に直接設けられた遊技機の演出用デバイスとしての回転灯装置を作動させ、当選や入賞の報知演出を行うものもある。
また、特許文献１に開示されている発明では、回転灯として、ランプと、ランプを中心にしてその回りを回転できる反射板と、反射板を回転させるためのモータと、モータを駆動して反射板を回転させることができる駆動回路とを備え、駆動回路は二以上の異なる速度のなかから選択された一つの速度で反射板を回転させるようにすることにより、回転灯の状態を見ることで、遊技機の状態を知ることができるとされている。
【特許文献１】特開平１１−３４５５０７号公報
【発明の開示】
【発明が解決しようとする課題】
【０００３】
しかし、上記した特許文献１に開示された発明等を含む、遊技機の取り付けられる回転灯装置は、ランプ等が収納されるカバー部や、モータ等の駆動装置が収納されるケース部等が密閉されており、反射板を回転させるモータが発する熱や、ランプ等の光源が発する熱が逃げない状態になっている。したがって、モータ等の発する熱による、ケース部及びカバー部内における空気の温度の上昇により、モータ等の部品自体の温度が上昇する。この場合、モータ等のケース部及びカバー部の内部に収納される部品に耐熱性の高い部材を選定が必要になるとともに、モータの過熱を防ぐため、モータの連続作動時間を制限する必要があった。
【０００４】
また、ランプ等が収納されるカバー部や、モータ等の駆動装置が収納されるケース部等に孔を空けることにより、モータ等の発する熱を逃がすといった方法も考えられるが、この方法では、空気の流れが発生せず、効果的にモータ等の発する熱を逃がすことができないため、モータ等の温度上昇を抑えることができない。
そこで、本発明は、上記状況に鑑み以下の点を目的とする。
（請求項１）
すなわち、請求項１記載の発明は、回転灯装置を備えた遊技機であって、回転灯装置に、ケース部とカバー部とを備え、ケース部にカバー部が取り付けられることにより、ケース部とカバー部との間に回転灯装置内部空間を形成し、回転灯装置内部空間に、光源から発せられた光を反射するための反射板と、反射板とともに回転し、かつ回転灯装置内部空間を２つに仕切る送風ファンとを備えた回転部を備え、送風ファンにより２つに仕切られた回転灯装置内部空間のうち、一方を第１内部空間とし、他方を第２内部空間とし、回転部が回転すると、第１内部空間及び第２内部空間の一方側から他方側へ向けて空気を送るように送風ファンを形成し、ケース部及びカバー部から構成される収納部のいずれかの位置には、第１内部空間と外部とを連通させる第１通風孔と、第２内部空間と外部とを連通させる第２通風孔とを設けることにより、回転灯装置の構成部材であるモータ及び光源等の周囲に、回転灯装置外部から空気を取り込むとともに、モータ及び光源の周囲の空気を回転灯装置の外部に排出することができ、これにより、モータ及びランプ等が発する熱による回転灯装置内部空間における空気の温度の上昇を防ぎ、回転灯装置内部に収納される部品に耐熱性の高い部材を選定する必要性が少なくなるとともに、モータの過熱を防ぐためのモータの連続作動時間を制限する必要性が少なくなる遊技機を提供することを目的とする。
【課題を解決するための手段】
【０００５】
各請求項にそれぞれ記載された発明は、前述の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、光を周囲に旋回させながら照射可能な回転灯装置60を備えた遊技機であって、前記回転灯装置60は、開口部を有する箱型のケース部61と、ケース部61に設けられた開口部を塞ぐようにケース部61に取り付けられるカバー部63とを備え、ケース部61にカバー部63が取り付けられると、ケース部61とカバー部63との間には、回転灯装置60の構成部材を収納可能な空間である回転灯装置内部空間100が形成され、回転灯装置内部空間100には、光を発する光源65と、光源65の周囲を回転可能に形成された回転部90と、回転部90を回転させるためのモータ68とが備えられ、回転部90には、光源65の周囲を回転しつつ光源65から発せられた光を反射するための反射板64と、反射板64とともに回転し、かつ、回転灯装置内部空間100を２つに仕切る送風ファン98とが備えられ、送風ファン98により２つに仕切られた回転灯装置内部空間100のうち、一方を第１内部空間100Aとし、他方を第２内部空間100Bとし、送風ファン98は、回転部90が回転すると、第１内部空間100A及び第２内部空間100Bの一方側から他方側へ向けて空気を送るように形成され、ケース部61及びカバー部63から構成される収納部のいずれかの位置には、第１内部空間100Aと外部とを連通させる第１通風孔70と、第２内部空間100Bと外部とを連通させる第２通風孔72とが設けられていることを特徴とする。
【０００６】
ここで、「遊技機」には、回転灯装置60が備えられている。また、「遊技機」とは、スロットマシン1、パチンコ及びその他の遊技機を含むものである。
また、「回転灯装置60」は、光を周囲に旋回させながら照射可能に形成されている。
また、回転灯装置60には、ケース部61とカバー部63とが備えられている。
また、「ケース部61」は、箱型に形成されている。また、ケース部61は、開口部を有している。
また、「カバー部63」は、ケース部61に設けられた開口部を塞ぐように、ケース部61に取り付けられる。
【０００７】
また、ケース部61にカバー部63が取り付けられると、ケース部61とカバー部63との間に、回転灯装置内部空間100が形成される。また、「回転灯装置内部空間100」は、回転灯装置60の構成部材を収納可能に形成される。
具体的には、例えば、ケース部61を、底部（取り付け時において下方となる側）に開口部を有する箱型に形成する。また、カバー部63を、光を透過する樹脂等を用いて、上部に開口部を有する断面ほぼＵ字型の容器状に形成する。そして、ケース部61の開口部を、カバー部63の開口部が塞ぐように、ケース部61にカバー部63を取り付ける。これにより、ケース部61とカバー部63との間に回転灯装置内部空間100を形成することができる。
【０００８】
また、このように、ケース部61とカバー部63とを直接取り付けて、回転灯装置内部空間100を形成しても良いし、ケース部61とカバー部63とを取り付けるための他の部材を介して、ケース部61とカバー部63とを取り付けて、回転灯装置内部空間100を形成しても良い。例えば、ケース部61とカバー部63との間に、ケース部61とカバー部63とを連結させるための、つなぎ部62を備えるようにして、ケース部61にカバー部63を取り付けて、回転灯装置内部空間100を形成しても良い。具体的には、例えば、ケース部61を上述のように、底部（取り付け時において下方となる側）に開口部を有する箱型に形成し、かつ、カバー部63を、上部に開口部を有する断面ほぼＵ字型の容器状に形成した場合、ケース部61とカバー部63とを連結させるためのつなぎ部62を、筒状に形成し、つなぎ部62の上端の開口部をケース部61の開口部に連結させ、つなぎ部62の下端の開口部をカバー部63の開口部に連結させるようにして、ケース部61とカバー部63とを取り付ける。このようにして、ケース部61とカバー部63との間に回転灯装置内部空間100を形成しても良い。
【０００９】
また、回転灯装置60の構成部材には、光源65、回転部90及び光源65を取り付けるための光源固定部材67等が含まれる。
また、回転灯装置内部空間100には、光源65と、回転部90と、モータ68とが備えられている。
また、「光源65」は、光を発するものである。具体的には、例えば、光源65として、ランプやＬＥＤを用いることができる。
「回転部90」は、光源65の周囲を回転可能に形成されている。
「モータ68」は、回転部90を回転させるためのものである。具体的には、例えば、モータ68にモータギヤ68Aを備え、回転部90に円筒状に形成した回転駆動軸92を備え、回転駆動軸92にモータギヤ68Aと噛み合う駆動ギヤ96を備えるようにする。そして、モータギヤ68Aと、駆動ギヤ96とが噛み合うことにより、モータ68が回転すると、モータ68の回転駆動を回転部90に伝達できるように、モータ68及び回転部90を形成する。これにより、モータ68は回転部90を回転させることができる。また、モータギヤ68Aと駆動ギヤ96との間に、変速ギヤを備えるようにして、モータ68の回転駆動を回転部90に伝達できるように形成しても良い。変速ギヤを備える場合には、モータ68の回転軸の回転を変速ギアにより減速して、又は加速して、モータ68の回転駆動を回転部90に伝達することができる。
【００１０】
また、回転部90には、反射板64と、送風ファン98とが備えられている。
また、「反射板64」は、光源65の周囲を回転しつつ光源65から発せられた光を反射するためのものである。
具体的には、例えば、反射板64に回転中心側に向く凹面を有する反射面64Aを有するように形成し、そして回転部90に反射板64を備えたときに、光源65の外周側に反射面64Aが位置して反射板64が回転するように形成し、反射面64Aがランプを中心にして周囲を回るようにする。これにより、反射板64は、光源65の周囲を回転しつつ光源65から発せられた光を反射することができる。また、これにより、回転灯装置60は、光源65から発せられた光を、回転部90に備えられている反射板64に反射させることにより、光源65から発せられる光を周囲に旋回させながら照射可能にすることができる。
【００１１】
また、「送風ファン98」は、反射板64とともに回転するように形成されている。また、送風ファン98は、回転灯装置内部空間100を２つに仕切るように形成されている。具体的には、例えば、回転部90に、モータ68の回転駆動が伝達され、回転する回転駆動軸92を備える。また、回転駆動軸92の下端部に、溶接等を施すことにより回転駆動軸92が回転すると反射板64も回転するように、反射板64を取り付ける。また、この回転駆動軸92の外周面の所定の位置に、溶接等を施すことにより回転駆動軸92が回転すると送風ファン98も回転するように、送風ファン98を取り付ける。これにより、送風ファン98を反射板64とともに回転するように形成することができる。
【００１２】
また、送風ファン98により仕切られた回転灯装置内部空間100のうち、一方を第１内部空間100Aとし、他方を第２内部空間100Bとしている。
また、送風ファン98は、回転部90が回転すると、第１内部空間100A及び第２内部空間100Bの一方側から他方側へ向けて空気を送るように形成される。すなわち、送風ファン98は、第１内部空間100Aから第２内部空間100Bへ向けて空気を送るように形成しても良いし、第２内部空間100Bから第１内部空間100Aへ向けて空気を送るように形成しても良い。
例えば、送風ファン98を、前記回転駆動軸92の外周面の所定の位置に備えるように形成する。具体的には、送風ファン98を、複数の回転翼を備えるように形成する。また、送風ファン98を、モータ68により回転部90が通常回転するときに、送風ファン98により仕切られた第１内部空間100Aから第２内部空間100Bへ向けて、又は、第２内部空間100Bから第１内部空間100Aへ向けて空気が送られるように、送風ファン98を形成する。すなわち、送風ファン98の各回転翼の傾斜角度を、それぞれ所定の角度に揃えるように形成し、回転翼が回転すると第１内部空間100Aから第２内部空間100Bへ向けて、又は、第２内部空間100Bから第1内部空間100Aへ向けて空気が送られるように、各回転翼を形成する。
【００１３】
また、「収納部」は、ケース部61及びカバー部63から構成される。すなわち、収納部は、ケース部61とカバー部63との両方を含む概念である。
また、収納部のいずれかの位置には、第１内部空間100Aと外部とを連通させる第１通風孔70が設けられている。また、収納部のいずれかの位置には、第２内部空間100Bと外部とを連通させる第２通風孔72が設けられている。
具体的には、例えば、ケース部61の内部に第１内部空間100Aが形成されている場合には、ケース部61に第１通風孔70を設けるように形成することができる。また、カバー部63の内部に第１内部空間100Aが形成されている場合には、カバー部63に第１通風孔70を設けるように形成することができる。また、ケース部61及びカバー部63の双方の内部に第１内部空間100Aが形成されている場合には、ケース部61のみに第１通風孔70を設けるように形成しても良いし、カバー部63のみに第１通風孔70を設けるように形成しても良いし、ケース部61及びカバー部63の双方に第１通風孔70を設けるように形成しても良い。
【００１４】
また、例えば、ケース部61の内部に第２内部空間100Bが形成されている場合には、ケース部61に第２通風孔72を設けるように形成することができる。また、カバー部63の内部に第２内部空間100Bが形成されている場合には、カバー部63に第２通風孔72を設けるように形成することができる。また、ケース部61及びカバー部63の双方の内部に第２内部空間100Bが形成されている場合には、ケース部61のみに第２通風孔72を設けるように形成しても良いし、カバー部63のみに第２通風孔72を設けるように形成しても良いし、ケース部61及びカバー部63の双方に第２通風孔72を設けるように形成しても良い。
【発明の効果】
【００１５】
（請求項１）
請求項１記載の発明によれば、回転灯装置内部空間に、光源と、回転部と、モータとを備え、回転部には、反射板と送風ファンとを備え、送風ファンは、回転部が回転すると、第１内部空間及び第２内部空間の一方側から他方側へ向けて空気を送るように形成され、ケース部とカバー部から構成される収納部のいずれかの位置には、第１内部空間と外部とを連通させる第１通風孔と、第２内部空間と外部とを連通させる第２通風孔とを設けた。
これにより、回転灯装置の構成部材であるモータ及び光源等の周囲に、回転灯装置外部から空気を取り込むとともに、モータ及び光源の周囲の空気を回転灯装置の外部に排出することができ、これにより、モータ及びランプ等が発する熱による回転灯装置内部空間における空気の温度の上昇を防ぎ、回転灯装置内部に収納される部品に耐熱性の高い部材を選定する必要性が少なくなるとともに、モータの過熱を防ぐためのモータの連続作動時間を制限する必要性が少なくなる遊技機を提供することができる。
【発明を実施するための最良の形態】
【００１６】
（第１の実施の形態）
（図面の説明）
以下、本実施の形態にかかる遊技機であるスロットマシン1について図面を用いて説明する。
図１は、本実施の形態にかかる遊技機であるスロットマシン1の外観正面図である。図２は、本実施の形態にかかる遊技機であるスロットマシン1の上扉3Aの内部斜視図である。図３は、本実施の形態にかかる遊技機であるスロットマシン1の上扉装飾体20の分解斜視図である。図４は、本実施の形態にかかる遊技機であるスロットマシン1の回転灯装置60の外観斜視図である。図５は、本実施の形態にかかる遊技機であるスロットマシン1の回転灯装置60の分解斜視図である。図６は、本実施の形態にかかる遊技機であるスロットマシン1の回転灯装置60の内部断面図である。図７は、本実施の形態にかかる遊技機であるスロットマシン1の回転灯装置60を下方から見た図である。図８は、本実施の形態にかかる遊技機であるスロットマシン1の回転灯装置60におけるカバー部63の側面図である。
【００１７】
なお、ここで、「前面」や「前方向」とは、遊技者等が、遊技機の正面側に遊技機の方を向いて位置している場合のかかる遊技者から見たときの奥から手前への方向を意味する。したがって、前方向とは、遊技機の奥から正面へ向かう方向を意味する。また、「背面」や「後方向」とは、遊技者等が、遊技機の正面側に遊技機の方を向いて位置している場合のかかる遊技者から見たときの手前から奥への方向を意味する。したがって、後方向とは、遊技機の正面から奥（後ろ）へ向かう方向を意味する。また、「左方向」や「右方向」等の左右方向も、かかる遊技機の前面の方を向いて位置している者から見た場合の右方向や、左方向を意味する。
【００１８】
（スロットマシン1）
図１に示すように、本実施の形態にかかる遊技機はスロットマシン1である。
本実施の形態にかかる遊技機であるスロットマシン1は、四角箱状の筐体2を備えている。また、スロットマシン1は、筐体2の前面に、前扉3が備えられている。また、前扉3は、上扉3Aと下扉3Bとから構成されている。上扉3Aの前面には、遊技者側に向かって臨む四角窓状の表示窓19が形成されている。そして、この表示窓19の中央には、三個の回転リール10の図柄を見ることができる図柄表示窓19Aが形成されている。また、回転リール10は、リールユニット5に備えられている。
【００１９】
リールユニット5は、図示はしないが、枠体に固定あるいは支持された三個のモータと、各々のモータの出力軸に固定された三個の回転リール10から構成されている。そして、各回転リール10は、合成樹脂からなる回転ドラムと、この回転ドラムの周囲に貼付されるテープ状のリールテープを備えている。このリールテープの外周面には、複数個（例えば２１個）の図柄が表示されている。そして、モータによる回転を開始した後、回転リール10のスタートインデックスからの回転角度を認識することで、現在位置を特定し、その後、所定角度で停止させる停止制御が行われるものである。
また、回転リール10には、図１の向かって左端側に位置する左側回転リール10Aと、図３の向かって右端側に位置する右側回転リール10Cと、この左側回転リール10A及び右側回転リール10Cの間に位置する中央回転リール10Bとがある。そして、スロットマシン1の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、メダルの投入枚数が、１枚の場合、五本の入賞ラインのうち、横中央の一本が入賞有効ラインとなる。そして、メダルの投入枚数が、２枚の場合、五本の入賞ラインのうち、横方向の三本が入賞有効ラインとなる。そして、メダルの投入枚数が、３枚の場合、対角線も含めた五本の入賞ラインの全部が、入賞有効ラインとなる。
【００２０】
また、筐体2の内部には、ホッパー7が備えられている。また、ホッパー7は、投入されたメダルを収納するとともに、収納したメダルを入賞等により払い出すためのものである。
また、スロットマシン1の内部には、図示していないが、スロットマシン1の全体の動作を制御するための制御装置が備えられている。
（上扉3A）
上扉3Aは、筐体2のヒンジに回転自在に軸支された板状の扉であり、図１及び図２に示すように、略中央部に回転リール10を、スロットマシン1の正面から見ることができる図柄表示窓19Aを有している。また、図柄表示窓19Aの上方には、演出表示を行うための上扉装飾体20が設けられている。すなわち、上扉3Aは、図１及び図２に示すように、上扉3Aの骨格となる扉枠32に、図柄表示窓19Aを有する上パネルが固定されているとともに、扉枠32の正面側に設けられた装飾体固定部32A、32Bを介して、上扉装飾体20を着脱自在に取り付け可能な構造となっている。
【００２１】
ここで、装飾体固定部32A、32Bは、上扉装飾体20の背面側に設けられたネジ孔を有する扉枠固定部と、合致する貫通孔であり、図示はしないが、扉枠32の背面側からネジでネジ止めすることにより、上扉装飾体20を固定することができるものである。
また、図１及び図２に示すように、扉枠32の高さ方向略中方部の左右両端部には、音声を出力するためのスピーカ21が裏面側から取り付けられている。そして、扉枠32の正面側に設けられた開口部から、スピーカ21のスピーカコーンが正面側に向かって配置されている。
また、スピーカ21は、電子音等により、遊技者に入賞等を知らせるものである。スピーカ21は、入賞時に所定の入賞音を発生させる。スピーカ21の所定の入賞音は、図示はしないが、スロットマシン1が備える制御装置により制御され、実行されている。
【００２２】
（下扉3B）
下扉3Bは、図１に示すように、筐体2のヒンジに回転自在に軸支された、上扉3Aよりも幅厚の扉であり、下扉3Bの上部は、スロットマシン1を作動させるためのカウンター状の操作部4となっている。また、下扉3Bの下部には、ホッパー7を介してメダルの払い出すためのメダル排出口8が設けられており、また、下扉3Bの下部には、メダル排出口8から払い出されたメダルを貯留するためのメダル皿18が備えられている。
また、操作部4として、下扉3Bの上面右端にはメダル投入口12及び上面左側に設けられたベットスイッチ14及び精算スイッチ16が、正面側にはスタートスイッチ15及びストップスイッチ13が設けられている。なお、投入スイッチ12Aは、図１に示すように、回転リール10の右斜め下方に位置するスイッチであって、メダル投入口12から投入されたメダルを検知するためのものである。また、ベットスイッチ14は、図１に示すように、回転リール10の下方に位置するスイッチであって、貯留メダル数を減じてメダル投入に代えるためのものである。また、精算スイッチ16は、図１に示すように、回転リール10の左斜め下方に位置するスイッチであって、貯留した投入メダルを払い出すためのものである。また、スタートスイッチ15は、図１に示すように、回転リール10の左斜め下方に位置するレバーであって、メダルの投入若しくはベットスイッチ14の投入を条件に、又は、「再遊技（リプレイ、Ｒｅｐｌａｙ）」時には前遊技から所定時間経過を条件に、リールユニット5の駆動を開始させるためのものである。なお、ここで、「再遊技（リプレイ、Ｒｅｐｌａｙ）」とは、当選抽選手段等の抽選により、「再遊技（リプレイ、Ｒｅｐｌａｙ）」のフラグが成立し、「再遊技（リプレイ、Ｒｅｐｌａｙ）」の図柄が入賞有効ライン上に揃うことにより、次の遊技において、メダルを新たに投入することなく、再度、遊技を行うことができるものである。また、ストップスイッチ13は、リールユニット5の駆動を停止させるためのものである。具体的には、ストップスイッチ13は、図１に示すように、各回転リール10に対応した三個のスイッチから構成され、各回転リール10の下方に１個ずつ配置されているものである。回転リール10に対応したストップスイッチ13の操作により、当該対応した回転リール10が回転を停止するように設定されているものである。
【００２３】
（上扉装飾体20）
上扉装飾体20は、図１ないし図３に示すように、中央部分が開口された四角枠状の本体ベース23を有しており、この本体ベース23に、装飾ランプ部22としてのコーナーランプ部22B及びトップランプ部22C、回転灯装置60、並びに、背面発光装置80としてのバックライトユニット80Aが設置されたものとなっている。なお、上扉装飾体20は、上扉3Aに対して容易に着脱が行えるように、上扉3Aと螺合するネジ等で上扉3Aに取り付けられている。
ここで、本体ベース23の上辺中央部23Aは、その両側の側辺部23Bよりも前側へ突き出ている。この上辺中央部23Aの下面には、回転灯装置60が吊り下げられた状態で取り付けられている。すなわち、上辺中央部23Aは、側辺部23B及びバックライトユニット80Aよりも前方に突出するとともに、後述する回転灯装置60の反射板64の旋回軸が略垂直となった状態で回転灯装置60が取り付けられる突出部となっている。
【００２４】
これにより、回転灯装置60の設置位置が側辺部23Bよりも前側へ迫り出した位置となり、スロットマシン1の横から回転灯装置60が視認可能となり、更には、回転灯装置60が発する光の照射可能な回転角度範囲が拡大されている。
本体ベース23の開口の形状は、図１に示すように、正面視で、上下方向に潰れて横に広がったＹ字形となっている。この本体ベース23の開口の後方部分は、図２及び図３の如く、バックライトユニット80Aで塞がれている。
一方、本体ベース23の開口の前方部分には、当該開口に応じた正面形状を有するとともに、全体形状が三次元曲面で構成された透明プラスチックからなる立体的な風防24が設けられている。この風防24により、本体ベース23の開口の内部が前方から視認可能となった状態で、本体ベース23の開口の前方部分が塞がれている。
【００２５】
また、本体ベース23には、図２及び図３に示すように、上扉3A側に設けられているスピーカ21に対応してスピーカカバー部25が設けられている。スピーカカバー部25は、前方の面に多数の細孔が形成されるとともに、後方が開口された箱状のボックス部25Aと、このボックス部25Aの開口を塞ぐとともに、スピーカ21に対応した略円形の切り欠き部25Bが形成された蓋部25Cとを備えたものである。
また、本体ベース23には、図示はしないが、回転灯装置60を取り付けるための、回転灯支持突起及び回転灯固定部が設けられている。回転灯支持突起及び回転灯固定部は、本体ベース23の背面から後ろ方向へ向けて突出して設けられている。また、回転灯固定部は、ネジ孔を有しており、所定のネジを螺合させることができるようになっている。
【００２６】
また、本体ベース23には、図示はしないが、後述するバックライトユニット80Aを取り付けるための、バックライトユニット固定部が設けられている。
スピーカカバー部25は、本体ベース23が上扉3A取り付けられると、切り欠き部25Bがスピーカ21と同軸位置となるように、本体ベース23に設置されている。これにより、スピーカ21から発せられた音声が、蓋部25Cに形成された切り欠き部25B及びボックス部25Aの前面に形成された多数の細孔を通って遊技者側へ到達するようになっている。
コーナーランプ部22Bは、図１ないし図３に示すように、本体ベース23の上縁側の角隅部分に沿ってＬ字形状に配列された複数の発光ダイオード26Aと、これら複数の発光ダイオード26Aの前方を覆うとともに、透明プラスチックからなる立体的なカバーレンズ部26Bとを有するものとなっている。なお、図３においては、作図の都合上、図３中右側のコーナーランプ部22Bについてのみ、複数の発光ダイオード26Aが図示され、図３中左のコーナーランプ部22Bの発光ダイオード26Aについては、図示が省略されている。
【００２７】
トップランプ部22Cは、図１ないし図３に示すように、本体ベース23の上辺中央部23Aに一文字形状に配列された複数の発光ダイオード27Aと、これら複数の発光ダイオード27Aの前方を覆うとともに、透明プラスチックからなる立体的なカバーレンズ部27Bとを有するものとなっている。
（回転灯装置60）
回転灯装置60は、光を周囲に旋回させながら照射可能に形成されている。また、回転灯装置60は、図４ないし図６に示すように、開口部を有する箱型のケース部61と、ケース部61の開口部を塞ぐように取り付けられているカバー部63とを備えている。また、回転灯装置60には、ケース部61とカバー部63とを連結させるための、つなぎ部62が備えられている。
【００２８】
また、つなぎ部62を介して、カバー部63をケース部61に取り付けると、ケース部61とカバー部63との間には、図６に示すように、回転灯装置60の構成部材を収納可能な空間である回転灯装置内部空間100が形成される。
また、回転灯装置内部空間100には、図４ないし図６に示すように、光を発する光源65と、光源65の周囲を回転可能に形成された回転部90と、回転部90を回転させるためのモータ68とが備えられている。
また、回転部90には、反射板64と、送風ファン98とが備えられている。反射板64は、光源65の周囲を回転しつつ、光源65から発せられた光を反射するものである。また、送風ファン98は、反射板64とともに回転するように形成されている。また、送風ファン98は、回転灯装置内部空間100を２つに仕切るものである。
【００２９】
本実施の形態では、図６に示すように、送風ファン98により仕切られた回転灯装置内部空間100のうち、ケース部61側の空間を第１内部空間100Aとし、カバー部63側の空間を第２内部空間100Bとしている。
また、送風ファン98は、回転部90が回転すると、第１内部空間100Aから第２内部空間100Bへ向けて空気を送ることができるように形成されている。
また、ケース部61及びカバー部63から収納部が構成されている。また、収納部のいずれかの位置には、第１内部空間100Aと外部とを連通させる第１通風孔70と、第２内部空間100Bと外部とを連通させる第２通風孔72とが設けられている。また、本実施の形態では、ケース部61に、第１内部空間100Aと外部とを連通させる第１通風孔70が設けられている。また、カバー部63に、第２内部空間100Bと外部とを連通させる第２通風孔72が設けられている。
【００３０】
また、回転灯装置60は、図１ないし図３に示すように、上扉装飾体20の本体ベース23における上辺中央部23Aに、下方へ向けて略垂直となった状態で取り付けられている。
また、回転灯装置60は、図４ないし図６に示すように、回転灯装置内部空間100に、光源65、反射板64を備えた回転部90及び回転部90を回転させるためのモータ68を内装させ、光源65からの光を、回転部90が回転することにより回転する反射板64に反射させることにより、回転灯装置60は、光源65が発する光をカバー部63に透過させながら周囲に旋回して照射可能に形成されている。
（ケース部61）
ケース部61は、図４ないし図６に示すように、底部（本体ベース23への取り付け時において下方となる側）に開口部を有する箱型に形成されている。
【００３１】
また、ケース部61は、上端部を閉塞する閉塞板61Eと、閉塞板61Eの周縁から延設されて閉塞板61Eの周縁を覆う周板61Dとを備えている。
また、ケース部61は、底部に形成されている開口部の対向側の表面（本体ベース23への取り付け時において上面となる面）である閉塞板61Eには、立設された板部材に貫通孔を有する位置決め部61Bが二つ並んで設けられている。また、ケース部61の周板61Dの両側面（本体ベース23への取り付け時において左右となる側面）には、横方向に張り出し貫通孔を有する取り付け部61Cが設けられている。そして、前記位置決め部61Bの貫通孔には、回転灯支持突起を挿入させることができ、位置決め部61Bの貫通孔に回転灯支持突起を挿入させた状態で、回転灯固定部のネジ孔と取り付け部61Cの貫通孔が合致するようになっている。
【００３２】
また、図示はしないが、ケース部61には、後述するつなぎ部62を取り付け固定するためのつなぎ部固定用孔が設けられている。また、つなぎ部固定用孔の内周面にはメスネジが形成されている。また、つなぎ部固定用孔は、つなぎ部62に設けられているつなぎ取り付け部62Cと合致する位置に設けられている。
また、ケース部61の内部には、モータ68が備えられている。
また、ケース部61には、図４ないし図６に示すように、側部の所定の位置に、第１通風孔70が設けられている。第１通風孔70は、ケース部61の側部を貫通して設けられている。すなわち、第１通風孔70は、ケース部61の内部と外部とを連通している。また、本実施の形態では、第１通風孔70を有する部分のケース部61の内部は、後述する送風ファン98の上方に位置する第１内部空間100Aとなっている。これにより、第１通風孔70は、第１内部空間100Aと外部と連通させることができる。
【００３３】
また、第１通風孔70は、図４ないし図６に示すように、回転灯装置60を上扉装飾体20に取り付けたとき、前側の位置になるように（上扉装飾体20側の反対へ向くように）形成されている。また、第１通風孔70は、ケース部61側部における後述するモータ68の近くの位置に設けられている。これにより、第１通風孔70から取り込まれた空気は、空気が取り込まれる前から存在する回転灯装置内部空間100の空気により温められることなく、直接モータ68の周囲に至る。
また、ケース部61の内部には、図５及び図６に示すように、閉塞板61Eから離すようにしてケース部61に固定されたベースプレート61Aが備えられている。また、ベースプレート61Aは、閉塞板61Eとほぼ平行になるように設けられている。また、ベースプレート61Aは、ケース部61の内部に位置して、ケース部61の下端側に開口する開口部を塞ぐように、嵌め込まれている。また、ベースプレート61Aには、図示はしないが、後述する光源固定部材67を取り付けるための、光源固定部材67取り付け用の貫通孔が設けられている。
【００３４】
（カバー部63）
カバー部63は、ケース部61に設けられた開口部を塞ぐようにケース部61に取り付けられている。カバー部63は樹脂を用いて形成されている。また、カバー部63は、図４、図５、図６及び図８に示すように、上部に開口部を有する断面ほぼＵ字型に形成された容器状のカバーである。
また、カバー部63の内側上部の内周面には、カバーネジ部63Aが設けられている。また、カバーネジ部63Aが後述するつなぎ部62外周の下側に形成されたつなぎネジ部62Bと締結することにより、カバー部63をつなぎ部62に取り付けることができるように、カバーネジ部63Aは形成されている。
【００３５】
また、カバー部63には、第２通風孔72が設けられている。また、第２通風孔72は、カバー部63を貫通して設けられている。また、本実施の形態では、第２通風孔72を有するカバー部63の内部は、後述する送風ファン98よりも下方に位置する第２内部空間100Bとなっている。これにより、第２通風孔72は、第２内部空間100Bと外部とを連通させることができる。
また、カバー部63の内部には、光源固定部材67を介して光源65が備えられている。また、カバー部63は、光源65としてのランプの光を透過させる着色カバーである。
（つなぎ部62）
つなぎ部62は、ケース部61とカバー部63とを連結させるためのものである。
【００３６】
また、つなぎ部62は、つなぎ取り付け部62Cを介してケース部61に着脱自在に固定される環状部材である。また、つなぎ部62には、図５に示すように、内周の所定の位置に、貫通孔であるつなぎ取り付け部62Cが設けられている。つなぎ部62外周の下側には、カバー部63の内側に形成されたカバーネジ部63Aと締結するつなぎネジ部62Bが形成されている。
また、ケース部61に形成されているつなぎ部固定用孔と、つなぎ取り付け部62Cとの位置を合致させ、つなぎ部62取り付け用のオスネジを、つなぎ取り付け部62Cに挿通させながら、つなぎ部固定用孔に締結させる。これにより、つなぎ部62は、ケース部61に取り付けられる。
【００３７】
また、つなぎ部62に形成されているつなぎネジ部62Bと、カバー部63に形成されているカバーネジ部63Aとを締結させることにより、カバー部63は、つなぎ部62に取り付けられる。
また、図４ないし図６に示すように、つなぎ部62を介して、ケース部61の底部に形成されている開口部に、カバー部63の上部に形成されている開口部を取り付けることにより、ケース部61とカバー部63との間に回転灯装置内部空間100を形成している。
また、つなぎ部62の円形のつなぎ開口部62Aは、後述する送風ファン98が回転する際の先端の直径及び反射板64の直径よりも大きく形成されており、つなぎ部62を介してカバー部63をケース部61に取り付けた状態で、送風ファン98及び反射板64が回転可能となるよう形成されている。
【００３８】
（回転灯装置内部空間100）
図４ないし図６に示すように、つなぎ部62を介して、ケース部61にカバー部63が取り付けられることにより、ケース部61とカバー部63との間に回転灯装置内部空間100が形成されている。
また、回転灯装置内部空間100は、回転灯装置60の構成部材が収納可能に形成されている。具体的には、回転灯装置内部空間100には、光源65、回転部90、モータ68等が備えられている。
また、回転部90には、反射板64と、送風ファン98とが備えられている。
【００３９】
また、回転灯装置内部空間100は、回転部90に備えられている送風ファン98により、第１内部空間100Aと、第２内部空間100Bとに仕切られている。本実施の形態では、送風ファン98により仕切られた回転灯装置内部空間100のうち、送風ファン98よりも上方に位置するケース部61側の空間を第１内部空間100Aとし、送風ファン98よりも下方に位置するカバー部63側の空間を第２内部空間100Bとしている。
また、本実施の形態では、モータ68は、送風ファン98よりも上方に位置し、第１内部空間100Aに備えられている。また、本実施の形態では、光源65は、送風ファン98よりも下方に位置し、第２内部空間100Bに備えられている。
【００４０】
また、回転部90のうち、送風ファン98よりも上側に位置する部分は、第１内部空間100Aに備えられ、回転部90のうち、送風ファン98よりも下側の部分（反射板64等）は、第２内部空間100Bに備えられている。
（光源固定部材67）
また、光源固定部材67は、図５及び図６に示すように、回転灯装置内部空間100に備えられている。また、光源固定部材67は、後述する光源65としてのランプを固定するためのものである。光源固定部材67は、いわゆるソケットであり、光源65としてのランプの口金をねじ込む受け口により、光源65としてのランプを固定するとともに、光源65としてのランプへ電気を供給している。また、光源固定部材67は、第２内部空間100Bに備えられている。
【００４１】
また、光源固定部材67の外周面には、軸方向の所定の位置にスラストベアリング67Aが備えられている。また、光源固定部材67の上端には、図５に示すように、光源固定部材67取り付け用のメスネジが形成された取付孔66が２個形成されている。
また、光源固定部材67は、ベースプレート61Aに形成されている光源固定部材67取り付け用の貫通孔に、光源固定部材67用のネジを挿通させながら、光源固定部材67の上端に形成されている光源固定部材67取り付け用のメスネジが形成された取付孔66に締結させることにより、ベースプレート61Aに固定されている。
また、光源固定部材67を、ベースプレート61Aに固定する際、光源固定部材67に備えられているスラストベアリング67Aの上面に、後述する回転部90の回転駆動軸92に形成されている内周板94の下面が接するように、回転部90と光源固定部材67とは形成されている。すなわち、光源固定部材67のスラストベアリング67Aにより、回転部90を支えている。また、これにより、回転部90の、送風ファン98及び反射板64が回転しても、光源固定部材67を、その位置で回転せずにベースプレート61Aに固定することができる。
【００４２】
（光源65）
光源65は、光を発するものである。また、光源65は、光源固定部材67を介して、ベースプレート61Aに固定されている。また、光源65は、光源固定部材67とともに回転灯装置内部空間100に備えられている。また、光源65は、送風ファン98の下方の位置に備えられており、第２内部空間100Bに位置するように備えられている。
また、本実施の形態では、光源65として、赤色に発色するランプを用いている。
また、光源65としてのランプは、ランプの口金を、光源固定部材67としてのソケットの受け口にねじ込むことにより固定されている。また、本実施の形態における回転灯装置60は、光源65が発する赤色の光を、後述するモータ68により回転する回転部90に備えられた反射板64に反射させることにより、周囲に旋回させながら照射することができる。
【００４３】
（回転部90）
回転部90は、光源65の周囲を回転可能に形成されている。また、回転部90は、送風ファン98と、反射板64とを備えている。具体的には、図５ないし図７に示すように、回転部90は、上端付近の外周面に回転部90を回転駆動させるための駆動ギヤ96を有する回転駆動軸92と、回転駆動軸92の下端付近の外周面に設けられた送風ファン98と、回転駆動軸92の下端に設けられた反射板64とから構成されている。
（回転駆動軸92）
回転駆動軸92は、円筒状に形成されている。また、図５及び図６に示すように、回転駆動軸92の上端付近の外周面には、駆動ギヤ96が形成されている。また、回転駆動軸92における内周面の所定の位置には、回転駆動軸92の内周面から内方向へ向けて突出した内周板94が設けられている。
【００４４】
また、回転灯装置60を組み立てる際、内周板94の下面に、光源固定部材67のスラストベアリング67Aの上面に当接させることにより、光源65が取り付けられた光源固定部材67を停止させたままで、回転部90を回転させることができるようになっている。
また、駆動ギヤ96は、後述するモータ68に設けられているモータギヤ68Aと噛み合うように形成されている。また、回転駆動軸92に設けられている内周板94の下面に、光源固定部材67のスラストベアリング67Aの上面が当接するようにして回転部90を備えると、回転駆動軸92に形成されている駆動ギヤ96とモータ68に設けられているモータギヤ68Aとが噛み合うように、回転部90は形成されている。
【００４５】
また、駆動ギヤ96は、モータ68に設けられているモータギヤ68Aと噛み合うことにより、モータ68の回転駆動を回転部90に伝達し、かつ、モータ68の回転数を所定の回転数に減じて、回転部90が回転するように形成されている。具体的には、後述する送風ファン98が空気を送るのに適した回転であって、かつ、光源65が発した光を反射板64が反射することにより、光源65が発した光を周囲に旋回しながら照射するのに適した回転数で回転部90が回転するように、駆動ギヤ96は形成されている。
（送風ファン98）
送風ファン98は、回転部90に備えられている。また、送風ファン98は、反射板64とともに回転するように形成されている。また、送風ファン98は、回転灯装置内部空間100を２つに仕切るように形成されている。
【００４６】
また、送風ファン98は、回転駆動軸92の下端付近の外周面に備えられている。送風ファン98は、複数の回転翼を備えている。また、回転翼は、合計６枚設けられている。各回転翼は、それぞれ回転駆動軸92の下端付近の外周面に溶接又は接着により取り付けられている。また、このように送風ファン98を備えることにより、後述する反射板64とともに送風ファン98を回転させることができる。
また、送風ファン98は、モータ68により回転部90が通常回転するときに、送風ファン98の上方に位置する第１内部空間100Aから、送風ファン98の下方に位置する第２内部空間100Bへ向けて空気が送られるように形成されている。すなわち、各回転翼の傾斜角度を、それぞれ所定の角度に揃えることにより、各回転翼が回転すると送風ファン98の上方から下方へ向けて空気が送られるように、各回転翼は形成されている。
【００４７】
（反射板64）
反射板64は、ケース部61とカバー部63との間に形成される回転灯装置内部空間100に備えられている。また、反射板64は、光源65の周囲を回転可能に形成されている。
また、反射板64は、回転駆動軸92の下端部に、接着又は溶接により取り付けられている。また、本実施の形態では、反射板64は、送風ファン98の下方の位置に備えられており、第２内部空間100Bに位置するようになっている。
また、反射板64は、図５ないし図７に示すように、回転中心側に向く凹面を有する反射面64Aを有しており、反射板64の上端部を回転駆動軸92の下端部に固定したときに、光源固定部材67に取り付けた光源65であるランプが突出するようになっている。また、この光源65であるランプの外周側に反射板64の反射面64Aが位置し、反射板64が回転することにより、反射面64Aがランプを中心にして周囲を回るようになっている。
【００４８】
（モータ68）
モータ68は、回転部90を回転させるためのものである。また、モータ68は、第１内部空間100Aであるケース部61の内部に備えられている。
また、モータ68は、ベースプレート61Aの内側（ケース部61の筒内側）に位置して、モータ68の出力軸の先端にモータギヤ68Aを有している。モータギヤ68Aは、前記ベースプレート61Aから外側（反モータ68側）に突出して取り付けられている。
また、モータギヤ68Aは、回転部90の駆動ギヤ96と噛み合うように形成されている。
また、モータ68は、図６に示すように、ベースプレート61Aの閉塞板61E側の位置に備えられるとともに、モータ68の出力軸をベースプレート61Aの閉塞板61Eの反対側に突出させて、モータギヤ68Aと回転部90の駆動ギヤ96とが噛み合い、モータ68の回転駆動を回転部90に伝達させることができるように備えられている。
【００４９】
（回転灯装置60の制御）
回転灯装置60は、光源65及びモータ68を別個に制御可能に形成されている。すなわち、回転灯装置60は、光源65としてのランプと、モータ68とを、それぞれ別個に制御することができるように形成されている。ここで、別個に制御するとは、光源65としてのランプ及びモータ68の作動のオンオフが両者共通して行われるのではなく、光源65としてのランプの点灯及び消灯と、モータ68の回転駆動状態及び停止状態とが、それぞれ別個に制御することができることを意味する。そして、光源65としてのランプと、モータ68とは、異なる電源を使用して、それぞれ別個に制御されている。光源65としてのランプは、制御装置からの制御信号に基づいて、光源65としてのランプの点灯及び消灯を制御するための光源制御手段により、点灯及び消灯が制御されるように形成されている。また、回転灯装置60のモータ68は、制御装置からの制御信号に基づいて、モータ68を制御するための回転灯装置制御手段により、モータ68の回転駆動状態及び停止状態や、回転駆動状態における回転速度の変更が制御されるように形成されている。
【００５０】
また、本実施の形態では、カバー部63の内部に配置された反射板64を回転させることにより、光源65としてのランプの光が投射される方向を回転変位させることができるようになっている。具体的には、回転灯装置60は、光を発する光源65としてのランプと、ランプの周囲を回転可能な反射板64と、この反射板64をランプの周囲で回転させるモータ68とを備え、そして、この回転灯装置60は、光源65（ランプ）からの光を、モータ68により回転する反射板64に反射させることにより、光を周囲に回転させる演出が可能に形成されている。
また、本形態では、回転灯装置60の光源65及び反射板64は、その周囲を共に有色のカバー部63で覆われている。光源65からの光は、透過性がありかつ有色のカバー部63を通過しているため、光をカバー部63の有色の色が付いたものにすることができる。そして、光源65及び反射板64は、その周囲をカバー部63で覆われているため、カバー部63の有色の濃さの程度によっては、反射板64の回転の動きを目立たなくすることができる。これにより、点灯回転状態においては、有色の光だけが、周囲に回転するように見せることが可能となる。
【００５１】
（回転灯装置60の取り付け）
そして、回転灯装置60は、位置決め部61Bの貫通孔に、本体ベース23の回転灯支持突起を挿通させて、本体ベース23にケース部61を仮固定した状態で、取り付け部61Cと回転灯固定部とを背面側からネジ止めすることにより、上扉装飾体20の本体ベース23における上辺中央部23Aに、下方に吊り下げ固定される。このようにして固定した回転灯装置60は、図４に示すように、つなぎ部62及びケース部61が、上扉装飾体20の本体ベース23における上辺中央部23Aの正面側垂下壁の後ろ側に隠れ、カバー部63のみが正面側から視認可能となる。
【００５２】
（作用・効果）
本実施の形態では、回転灯装置内部空間100に、モータ68と回転部90と光源65とが備えられており、モータ68が回転すると、モータギヤ68Aと回転部90の駆動ギヤ96とが噛み合うことにより、モータ68の回転駆動が回転部90に伝達され、回転部90が所定の方向へ回転する。また、回転部90が回転すると、反射板64が所定の方向へ向けて回転するとともに、送風ファン98も所定の方向へ回転する。また、送風ファン98が所定の方向へ向けて回転すると、第１内部空間100Aから第２内部空間100Bへ向けて空気が送られるように、送風ファン98は形成されている。
【００５３】
また、ケース部61には、第１内部空間100Aと外部とを連通する第１通風孔70が設けられている。また、第１通風孔70は、回転灯装置60の前方へ向かって開口するように設けられている。また、カバー部63には、第２内部空間100Bと外部とを連通する第２通風孔72が設けられている。また、第２通風孔72は、回転灯装置60の後方へ向かって開口するように設けられている。
これにより、回転部90が回転すると、第１内部空間100Aから第２内部空間100Bへ向けて空気が送られることにともなって、第１通風孔70から、回転灯装置60外部の空気が第１内部空間100Aに取り込まれる。そして、第１内部空間100Aに取り込まれた外部の空気は、送風ファン98により、第２内部空間100Bに送られる。そして、第２内部空間100Bに至った空気は、第２通風孔72から排出される。
【００５４】
ここで、回転灯装置60の外部の空気は、室内の空調により一定の温度に保たれている。また、回転灯装置内部空間100におけるモータ68の周囲における空気の温度は、モータ68の発する熱により、室内の温度よりも高くなっている。したがって、回転灯装置60の外部の空気は、モータ68周囲の空気の温度よりも低くなっている。また、回転灯装置60の前面付近は、広い空間を有しており、回転灯装置60のは背面付近等よりも空気が篭らない状態になっている。したがって、回転灯装置60前面付近の空気の温度は、回転灯装置60の背面付近等の空気の温度よりも低くなっている。
また、モータ68は、ケース部61内部の第１内部空間100A内に備えられているため、モータ68の周囲に、回転灯装置60の外部の空気（モータ68周囲の空気の温度よりも低い温度の空気）が、直接取り込まれるとともに、モータ68の発する熱により温まった、モータ68の周囲の空気を、第２内部空間100Bを介して回転灯装置60の外部に排出することができる。これにより、モータ68が発する熱による、回転灯装置内部空間100の温度の上昇を防ぐことができる。また、回転灯装置内部空間100の空気の温度を低くすることにより、発熱によるモータ68の自体の温度上昇を抑えることができ、モータ68の連続作動に対する時間制限を考慮する必要性が少なくなる。また、本実施の形態では、第１通風孔70を回転灯装置60の前方へ向けて開口するように設けている。これにより、回転灯装置60の背面付近等の空気よりも低い温度の空気である、回転灯装置60の前面付近の空気を、第１内部空間100Aへ取り込むことができる。
【００５５】
また、回転灯装置内部空間100における光源65であるランプの周囲における空気の温度は、光源65としてのランプの発する熱により、室内の温度よりも高くなっている。
また、光源65であるランプは、カバー部63内部の第２内部空間100Bに備えられているため、光源65であるランプの周囲に、第１内部空間100Aを介して、回転灯装置60外部の空気が取り込まれるとともに、光源65であるランプの発する熱により温まった、光源65であるランプの周囲の空気を、第２通風孔72から回転灯装置60の外部に排出することができる。これにより、光源65であるランプの発する熱による、回転灯装置内部空間100の温度の上昇を防ぐことができる。また、回転灯装置内部空間100の空気の温度を低くすることにより、発熱による光源65としてのランプ自体の温度上昇を抑えることができ、光源65としてのランプの温度上昇による製品寿命が短くなることを防ぐことができる。
【００５６】
また、これにより、本実施の形態によれば、回転灯装置内部空間100における空気の温度の上昇を防ぐことができるため、回転灯装置内部空間100に備えられる回転灯装置60の構成部材、例えば、モータ68、光源65、及びモータ68や光源65等を取り付けるための部品を選定する際に、耐熱性を考慮する必要性を少なくすることができる。
また、本実施の形態では、回転部90に送風ファン98と反射板64とを備えるようにし、送風ファン98を備えるために他の部品を要していない。これにより、少ない部品点数の増加で、回転灯装置内部空間100における空気の温度の上昇を防ぐことができる。
また、本実施の形態では、回転灯装置60外部の空気が直接取り込まれる第１内部空間100Aにモータ68を備えており、また、第１内部空間100Aを介して回転灯装置60外部の空気が取り込まれる第２内部空間100Bに光源65としてのランプが備えられている。これは、光源65としてのランプが発する熱よりもモータ68の発する熱の方が大きい場合や、光源65としてのランプよりもモータ68の方が周囲の温度上昇に対して弱い場合等、光源65としてのランプの周囲における空気の温度の上昇よりも、モータ68の周囲における空気の温度の上昇を防ぐ必要がある場合に有効である。
【００５７】
これに対し、光源65としてのランプの周囲における空気の温度の上昇よりも、モータ68の周囲における空気の温度の上昇を防ぐ必要がある場合には、第２内部空間100Bにモータ68を備え、第１内部空間100Aに光源65としてのランプを備えるように形成しても良い。これにより、モータ68の周囲における空気の温度の上昇よりも、光源65であるランプの周囲における空気の温度の上昇を防止することができる。
また、本実施の形態と同様に、第１内部空間100Aにモータ68を備え、第２内部空間100Bに光源65としてのランプを備えた場合であっても、送風ファン98を第２内部空間100Bから第１内部空間100Aへ向けて空気が送られるように形成することにより、光源65としてのランプが備えられている第２内部空間100Bに直接、回転灯装置60外部の空気を取り込むことができ、光源65としてのランプが発する熱の方がモータ68の発する熱よりも大きい場合や、光源65としてのランプの方が、モータ68よりも周囲の温度上昇に対して弱い場合等、光源65としてのランプの周囲における空気の温度の上昇を、モータ68の周囲における空気の温度の上昇よりも防ぐ必要がある場合に有効である。
【００５８】
また、本実施の形態では、ケース部61及びカバー部63から構成される収納部のうち、ケース部61に、第１内部空間100Aと外部とを連通させる第１通風孔70を有するようにしている。これに対し、カバー部63の内部に第１内部空間100Aが形成されている場合、カバー部63に第１通風孔70を有するように形成しても良い。また、ケース部61及びカバー部63の双方の内部に第１内部空間100Aが形成されている場合、ケース部61のみに第１通風孔70を有するように形成しても良いし、カバー部63のみに第１通風孔70を有するように形成しても良いし、ケース部61及びカバー部63の双方に第１通風孔70を有するように形成しても良い。
【００５９】
また、本実施の形態では、ケース部61及びカバー部63から構成される収納部のうち、カバー部63に、第２内部空間100Bと外部とを連通させる第２通風孔72を有するようにしている。これに対し、ケース部61の内部に第２内部空間100Bが形成されている場合、ケース部61に第２通風孔72を有するように形成しても良い。また、ケース部61及びカバー部63の双方の内部に第２内部空間100Bが形成されている場合、ケース部61のみに第２通風孔72を有するように形成しても良いし、カバー部63のみに第２通風孔72を有するように形成しても良いし、ケース部61及びカバー部63の双方に第２通風孔72を有するように形成しても良い。
【図面の簡単な説明】
【００６０】
【図１】最良の実施の形態にかかる遊技機であるスロットマシンの外観正面図である。
【図２】最良の実施の形態にかかる遊技機であるスロットマシンの上扉の内部斜視図である。
【図３】最良の実施の形態にかかる遊技機であるスロットマシンの上扉装飾体の分解斜視図である。
【図４】最良の実施の形態にかかる遊技機であるスロットマシンの回転灯装置の外観斜視図である。
【図５】最良の実施の形態にかかる遊技機であるスロットマシンの回転灯装置の分解斜視図である。
【図６】最良の実施の形態にかかる遊技機であるスロットマシンの回転灯装置の内部断面図である。
【図７】最良の実施の形態にかかる遊技機であるスロットマシンの回転灯装置を下方から見た図である。
【図８】最良の実施の形態にかかる遊技機であるスロットマシンの回転灯装置におけるカバー部の側面図である。
【符号の説明】
【００６１】
1     スロットマシン              2     筐体
3     前扉
3A    上扉                        3B    下扉
4     操作部                      5     リールユニット
7     ホッパー                    8     メダル排出口
10    回転リール                  10A   左側回転リール
10B   中央回転リール              10C   右側回転リール
12    メダル投入口                12A   投入スイッチ
13    ストップスイッチ            14    ベットスイッチ
15    スタートスイッチ            16    精算スイッチ
18    メダル皿
19    表示窓                      19A   図柄表示窓
20    上扉装飾体                  21    スピーカ
22    装飾ランプ部                22B   コーナーランプ部
22C   トップランプ部              23    本体ベース
23A   上辺中央部                  23B   側辺部
24    風防
25    スピーカカバー部            25A   ボックス部
25B   切り欠き部                  25C   蓋部
26A   発光ダイオード              26B   カバーレンズ部
27A   発光ダイオード              27B   カバーレンズ部
32    扉枠                        32A   装飾体固定部
32B   装飾体固定部
60    回転灯装置                  61    ケース部
61A   ベースプレート              61B   位置決め部
61C   取り付け部                  61D   周板
61E   閉塞板                      62    つなぎ部
62A   つなぎ開口部                62B   つなぎネジ部
62C   つなぎ取り付け部
63    カバー部                    63A   カバーネジ部
64    反射板                      64A   反射面
65    光源                        66    取付孔
67    光源固定部材                67A   スラストベアリング
68    モータ                      68A   モータギヤ
70    第１通風孔                  72    第２通風孔
80    背面発光装置                80A   バックライトユニット
90    回転部
92    回転駆動軸                  94    内周板
96    駆動ギヤ                    98    送風ファン
100   回転灯装置内部空間
100A  第１内部空間                100B  第２内部空間
【図１】
2008161304.tif 000003
【図２】
2008161304.tif 000004
【図３】
2008161304.tif 000005
【図４】
2008161304.tif 000006
【図５】
2008161304.tif 000007
【図６】
2008161304.tif 000008
【図７】
2008161304.tif 000009
【図８】
2008161304.tif 000010